(57)【要約】【課題】機構部品に無理な負荷が掛かったり複雑な構造にすることがなく、また作業工程の簡略化にも資する、従来にはないスライドドアの支持構造を提供する。【解決手段】スライドドア２をスライド方向に沿って前後に配した吊り下げ機構３、４によって一側面側から吊下げ支持するとともに、スライドドア２の上下端部を前後に配した厚み方向の振れ止め機構５〜８によって規制することとしたので、吊下げ機構及び振れ止め機構の構造の簡略化や負担軽減、それに伴う組み立て、分解等の便も向上させることができる。【選択図】図２
2018178515.tif 000002
【特許請求の範囲】
【請求項１】
スライドドアを支持するための支持構造であって、
スライドドアをスライド方向に沿って前後に配した吊り下げ機構によって一側面側から吊下げ支持するとともに、スライドドアの上下端部を前後に配した厚み方向の振れ止め機構によって規制してなることを特徴とするスライドドアの支持構造。
【請求項２】
前吊下げ機構及び前振れ止め機構は、スライドドアの厚み内及び高さ内に設けた縦レール及び横レールと、これらのレールに係合して高さ方向および厚み方向に支持する支持側の縦ローラ及び横ローラによって構成され、後吊下げ機構及び後振れ止め機構は、スライドドアから突設した縦ローラ及び横ローラと、これらのローラに係合して高さ方向および厚み方向に支持する支持側の縦レール及び横レールによって構成されている請求項１に記載のスライドドアの支持構造。
【請求項３】
スライドドアの横レールは当該スライドドアの上下端面に凹設した溝状のものであり、この横レールに上下方向から横ローラを係合させている請求項２に記載のスライドドアの支持構造。
【請求項４】
スライドドアの縦レールは当該スライドドアの一側面に凹設した溝状のものであり、この縦レールを厚み方向から縦ローラに係合させている請求項２又は３に記載のスライドドアの支持構造。
【請求項５】
スライドドアの縦ローラは当該スライドドアの縦レールの延長線上に軸着され、スライドドアの横ローラは当該スライドドアの横レールの延長線上に軸着されている請求項２〜４の何れかに記載のスライドドアの支持構造。
【請求項６】
前吊下げ機構及び前振れ止め機構は、スライドドアの高さ内及び厚み内に設けた縦レール及び横レールと、これらのレールに係合して高さ方向および厚み方向に支持する支持側の縦ローラ及び横ローラによって構成され、後吊下げ機構及び後振れ止め機構も、スライドドアの高さ内及び厚み内に設けた縦レール及び横レールと、これらのレールに係合して高さ方向および厚み方向に支持する支持側の縦ローラ及び横ローラによって構成されている請求項１に記載のスライドドアの支持構造。
【請求項７】
スライドドアの縦レール及び横レールは当該スライドドアの上、下枠内に設けられ、支持側の縦ローラ及び横ローラは当該スライドドアの上、下枠内に配設されて当該上、下枠に設けたスリットを介して引き出した上下のブラケットを介して支持側に固定されている請求項６に記載のスライドドアの支持構造。
【請求項８】
上ブラケットはスライドドアの上枠の上端よりも上方で支持側に固定され、下ブラケットはスライドドアの下枠の下端よりも下方で支持側に固定されている請求項７に記載のスライドドアの支持構造。
【請求項９】
前吊下げ機構に、縦ローラの高さ位置を変更する高さ調整機構を設けている請求項２〜８に記載のスライドドアの支持構造。
【請求項１０】
縦ローラの調整に連動して前振れ止め機構の上横ローラの高さ位置が変化するように構成してある請求項９に記載のスライドドアの支持構造。
【請求項１１】
前振れ止め機構の下横ローラにも高さ調整機構が設けられている請求項１０に記載のスライドドアの支持構造。
【請求項１２】
請求項１〜１１の何れかに記載のスライドドアの支持構造を備えたことを特徴とするローパーティションシステム。
【発明の詳細な説明】
【技術分野】
【０００１】
本発明は、屋内に設置されるブース等に好適に用いられるスライドドアの支持構造及びパーティションシステムに関するものである。
【背景技術】
【０００２】
従来、屋内に設置されるブースには、出入口を構成するためにスライドドアが採用されているものが少なくない。
【０００３】
この種のスライドドアの支持構造として、吊下げ構造が厚み方向の振れ止め機能を兼ねるべく、スライドドア又は固定パネルの一方の内部にガイド面を形成し、このガイド面に他方から突出させた転動体をパネル厚み方向の移動を規制した状態で係合させるようにしたものが一般的に知られている（特許文献１〜３）。
【先行技術文献】
【特許文献】
【０００４】
【特許文献１】特許第４３５４０４９号公報
【特許文献２】特許第４５６０７７５号公報
【特許文献３】特許第３６２３４３３号公報
【発明の概要】
【発明が解決しようとする課題】
【０００５】
しかしながら、このような構造であると、レールや転動体に吊下げ荷重と振れ方向の荷重が重畳して作用するため、レールや転動体に無理な負荷が掛かり易く、レールや転動体に複雑な構造を採用しなければならなくなる場合が多い。
【０００６】
その結果、固定パネルに対してスライドドアを厚み方向に沿って移動させながら係合させる必要が生じたり、金具等をスライド方向に係合させた後にその金具にスライドドアを取り付けるといった作業工程上の問題も招き易くなる。
【０００７】
本発明は、このような課題に着目してなされたものであって、機構部品に無理な負荷が掛かったり複雑な構造にすることがなく、また作業工程の簡略化にも資する、従来にはないスライドドアの支持構造を提供することを目的としている。
【課題を解決するための手段】
【０００８】
本発明は、かかる目的を達成するために、次のような手段を講じたものである。
【０００９】
すなわち、本発明に係るスライドドアの支持構造は、スライドドアをスライド方向に沿って前後に配した吊り下げ機構によって一側面側から吊下げ支持するとともに、スライドドアの上下端部を前後に配した厚み方向の振れ止め機構によって規制してなることを特徴とする。
【００１０】
このように、上下端部を厚み方向へ規制すれば、スライドドアは一側面側から吊っても立位姿勢が保たれるので、吊下げ機構及び振れ止め機構はそれぞれ単純な構造でよく、吊下げ荷重や振れ方向の荷重が重畳して作用することを回避して機構部品の負担を軽減するとともに、機構部品が複雑な構造となることを有効に回避して、組み立ての便にも資する支持構造を採用することができる。
【００１１】
要素部品の干渉を回避しつつ、スライドドアの片持ち支持機構の持ち出し量を小さく抑えるためには、前吊下げ機構及び前振れ止め機構は、スライドドアの厚み内および高さ内に設けた縦レール及び横レールと、これらのレールに係合して高さ方向および厚み方向に支持する支持側の縦ローラ及び横ローラによって構成され、後吊下げ機構及び後振れ止め機構は、スライドドアから突設した縦ローラ及び横ローラと、これらのローラに係合して高さ方向および厚み方向に支持する支持側の縦レール及び横レールによって構成されていることが望ましい。
【００１２】
構造や組み立てを一層簡単なものにするためには、スライドドアの横レールは当該スライドドアの上下端面に凹設した溝状のものであり、この横レールに上下方向から横ローラを係合させていることが好適である。
【００１３】
同様に、構造や組み立てを一層簡単なものにするためには、スライドドアの縦レールは当該スライドドアの一側面に凹設した溝状のものであり、この縦レールを厚み方向から縦ローラに係合させていることが好適である。
【００１４】
スライドドアの前後をガタつきなく安定して支持するためには、前吊下げ機構及び前振れ止め機構は、スライドドアの高さ内及び厚み内に設けた縦レール及び横レールと、これらのレールに係合して高さ方向および厚み方向に支持する支持側の縦ローラ及び横ローラによって構成され、後吊下げ機構及び後振れ止め機構も、スライドドアの高さ内及び厚み内に設けた縦レール及び横レールと、これらのレールに係合して高さ方向および厚み方向に支持する支持側の縦ローラ及び横ローラによって構成されていることが好ましい。
【００１５】
この場合、スライドドアのレールを極力外観に表出しないように構成するためには、スライドドアの縦レール及び横レールは当該スライドドアの上、下枠内に設けられ、支持側の縦ローラ及び横ローラは当該スライドドアの上、下枠内に配設されて当該上、下枠に設けたスリットを介して引き出した上下のブラケットを介して支持側に固定されていることが望ましい。
【００１６】
特に取付手順の簡素化を図るためには、上ブラケットはスライドドアの上枠の上端よりも上方で支持側に固定され、下ブラケットはスライドドアの下枠の下端よりも下方で支持側に固定されていることが有効である。
【００１７】
調整作業の便に資するとともに、構造の簡略化等も図るためには、スライドドアの縦ローラは当該スライドドアの縦レールの延長線上に軸着され、スライドドアの横ローラは当該スライドドアの横レールの延長線上に軸着されていることが好ましい。
【００１８】
スライドドアの傾きの適切な調整を可能とするためには、前吊下げ機構に、縦ローラの高さ位置を変更する高さ調整機構を設けていることが望ましい。
【００１９】
この場合特に、縦ローラの調整に連動して前振れ止め機構の上横ローラの高さ位置が変化するように構成してあることが好都合である。
【００２０】
さらに、前振れ止め機構の下横ローラにも高さ調整機構が設けられていることが好ましい。
【００２１】
以上のようなスライドドアの支持構造を適用すれば、シンプルな構造で組み立て、分解やメンテナンスの便も向上したローパーティションシステムを提供することが可能となる。
【発明の効果】
【００２２】
本発明は、以上説明した構成であるから、吊下げ荷重と厚み方向の振れ荷重を別々に支持することで機構部品の負荷を減らしつつ構造の簡素化を図ることができ、組み立ての簡略化にも資するようにした、新規有用なスライドドアの支持構造及びこれを備えたパーティションシステムを提供することができる。
【図面の簡単な説明】
【００２３】
【図１】本発明の一実施形態に係るローパーティションシステムの外観図。
【図２】同実施形態を構成するスライドドア周辺の分解斜視図。
【図３】同スライドドアを組み付けたローパーティションの正面透視図。
【図４】図３のＡ−Ａ線に沿った上部拡大断面図。
【図５】図３のＡ−Ａ線に沿った下部拡大断面図。
【図６】図３のＢ−Ｂ線に沿った上部拡大断面図。
【図７】図３のＢ−Ｂ線に沿った下部拡大断面図。
【図８】同実施形態における縦ローラ及び横ローラの調整機構を示す正面図。
【図９】同実施形態におけるスライドドアの出し入れ補助機構を示す部分正面図。
【図１０】本発明の第二実施形態を示す模式的な正面透視図。
【図１１】同実施形態を構成する上下のローラ支持体の正面図。
【図１２】図１０の上部及び下部を矢視Ｙ１、Ｙ２方向から見た透視図。
【図１３】上ローラ支持体を模式的に示す斜視図。
【発明を実施するための形態】
【００２４】
以下、本発明の第一実施形態を、図１〜図９を参照して説明する。
【００２５】
図１はスライドドア装置Ａを備えたローパーティションシステムＬＰＳを示している。スライドドア装置Ａは、室内に置き敷いて間仕切り用に用いるもので、パーティションパネル１を戸袋状に構成し、このパーティションパネル１に対してスライドドア２を手動で出し入れ可能としたものである。
【００２６】
図２はパーティションパネル１を分解してスライドドア２の周辺を示した分解斜視図である。パーティションパネル１は、主パネル１１と、この主パネル１１に対面する位置に着脱可能に取り付けられる化粧パネル１２と、これら主パネル１１と化粧パネル１２の縁辺間を覆う接地部１３、戸袋開口カバー１４、笠木１５、および笠木補助部材１６とから構成され、これらによって閉止される戸袋空間Ｓにスライドパネル２を収納するようにしている。
【００２７】
主パネル１１は、剛性のある板材、例えばペーパーハニカムをスチールでサンドイッチしたフラッシュ構造の板材１１ａを主体として構成されたもので、この板材１１ａがブースを構成するコーナー支柱ＣＰにブラケット１１ｂを介して連結され、分解状態でも自立性を維持している。この主パネル１１の外側には図４に示すように化粧材１１ｃが配置されている。
【００２８】
主パネル１１は、図３及び図５等に示すように、底板を構成するブラケット１１ｄの縁辺に沿って起立するとともに、ブラケット１１ｄがアジャスタ１１ｅを介して接地部１３を構成する角パイプ状の基台１３ａに支持され、アジャスタ調整した状態でブラケット１１ｄと基台１３ａが締結具１３ｂにより連結されて、基台１３ａが床Ｆに置き敷かれる。基台１３ａには幅木１３ｃが取り付けられる。
【００２９】
一方、スライドドア２は、図２〜図５等に示すように、上枠２１、下枠２２及び左右の側枠２３、２４の内側に取付部材２ａを介して薄板状のパネル体２５を取り付けて構成されるもので、引き出し側の側枠２３に凸片状の戸当たり部２３ａが断面Ｔ字状をなすように形成されている。
【００３０】
そして、スライドドア２を支持するための支持機構ＳＰは、図２及び図４〜図７等に示すように、スライド方向に沿って引き出し側を前、引き込み側を後ろとした場合に、スライドドア２を一側面側から吊下げ支持する前吊り下げ機構３及び後吊下げ機構４と、スライドドア２の上下端部を当該スライドドア２の厚み方向に規制する前上部振れ止め機構５、前下部振れ止め機構６、後上部振れ止め機構７、後下部振れ止め機構８とを備えている。図４〜図７においては、一部の断面を表すハッチングを省略するなど、簡略化してある。
【００３１】
前吊下げ機構３は、図４に示すように、スライドドア２を構成する上枠２１の厚み内及び高さ内に設けた縦レール３１と、この縦レール３１に係合して高さ方向を支持する支持側すなわち主パネル１１側の縦ローラ３２とによって構成されている。縦レール３１は当該スライドドア２を構成する上枠２１の一側面２ｂに凹設した溝状のものであり、この縦レール３１をスライドドア２の厚み方向に沿って縦ローラ３２に係合させている。縦ローラ３２はＬ字型のローラ支持部材９１の起立片９１ａに水平な支軸３２ａを介して軸着され、そのローラ支持部材９１がブラケット９２を介して主パネル１１に取り付けられているもので、起立片９１ａまたはブラケット９２には図示しないルーズ孔が設けてあり、ローラ支持部材９１はルーズ孔に挿通した止着具９１ｃにより適宜の高さで固定される。
【００３２】
後吊下機構４は、図６に示すように、スライドドア２から突設した縦ローラ４１と、縦ローラ４１に係合して高さ方向を支持する支持側すなわち主パネル１１側の縦レール４２とによって構成されている。縦ローラ４１は当該スライドドア２に設けられた前記縦レール３１の紙面垂直方向に沿った延長線上に水平な支軸４１ａを介して軸着されたもので、ローラ部分をスライドドア２の一側面２ｂよりも側方に突出させている。縦レール４２は、Ｌ字型のレール構成部材９３の起立片９３ａに形成され、そのレール構成部材９３が前述した前記ブラケット９２を介して主パネル１１に取り付けられている。
【００３３】
前上部振れ止め機構５は、図４に示すように、スライドドア２の厚み内及び高さ内に設けた上横レール５１と、この上横レール５１に係合して厚み方向を支持する支持側すなわち主パネル１１側の上横ローラ５２とによって構成されている。スライドドア２の横レール５１は当該スライドドア２を構成する上枠２１の上端面２ｃに凹設した溝状のもので、この横レール５１に上方から横ローラ５２を係合させている。横ローラ５２は前述したローラ取付部材９１の水平片９１ｂに鉛直な支軸５２ａを介して軸着されているもので、ローラ支持部材９１の高さに応じて縦ローラ３２とともに配設高さが変更可能とされている。主パネル１１は止着具９１ｃを介してローラ支持部材９１及びブラケット９２が締結してあり、止着具９１ｃを緩めた状態でブラケット９２の水平部に挿通しローラ取付部材９１に螺合させた調整部であるボルトＶ１によってローラ３２、５２の高さ位置が調整可能とされており、ボルトＶ１はローラ支持部材９１、ブラケット９２、止着具９１ｃとともにローラ３２、５２の高さを調整する上部調整機構１１０を構成している。
【００３４】
後上部振れ止め機構７は、図６に示すように、スライドドア２から突設した上横ローラ７１と、この上横ローラ７１に係合してスライドドア２の厚み方向を支持する支持側すなわち主パネル１１側の上横レール７２とによって構成されている。上横ローラ７１は当該スライドドア２に設けられた前記上横レール５１の紙面垂直方向に沿った延長線上に垂直な支軸７１ａを介して軸着されたもので、ローラ部分をスライドドア２の上端面２ｃよりも上方に突出させている。上横レール７２は、前記レール構成部材９３の水平片９３ｂに形成され、ブラケット９２を介して主パネル１１に取り付けられている。
【００３５】
前下部振れ止め機構６は、図５に示すように、スライドドア２の厚み内及び高さ内に設けた下横レール６１と、この下横レール６１に係合して厚み方向を支持する支持側すなわち主パネル１１側の下横ローラ６２とによって構成されている。スライドドア２の下横レール６１は当該スライドドア２を構成する下枠２２の下端面２ｄに凹設した溝状のもので、この横レール６１に下方から横ローラ６２を係合させている。横ローラ６２はＬ字状をなすローラ支持部材９４の水平片９４ａに鉛直な支軸６２ａを介して軸着され、そのローラ支持部材９４の起立片９４ｂがブラケット９５を介して主パネル１１に取り付けられているもので、起立片９４ｂ又はブラケット９５には図示しないルーズ孔が設けてあり、ルーズ孔に挿通した止着具９４ｃにより適宜の高さで固定される。ローラ支持部材９４はブラケット９５及び止着具９４ｃとともにローラ６２の高さを調整する下部調整機構１２０を構成している。
【００３６】
後下部振れ止め機構８は、図７に示すように、スライドドア２から突設した下横ローラ８１と、この下横ローラ８１に係合して厚み方向を支持する支持側すなわち主パネル１１側の下横レール８２とによって構成されている。下横ローラ８１は当該スライドドア２を構成する下枠２２に設けられた前記下横レール６１の紙面垂直方向に沿った延長線上に垂直な支軸８１ａを介して軸着されたもので、ローラ部分をスライドドア２を構成する下枠２２の下端面２ｄよりも下方に突出させている。下横レール８２は、前記ローラ支持部材９４の水平片９４ａに形成され、前述したブラケット９５を介して主パネル１に取り付けられている。
【００３７】
図４等に示すように、笠木補助部材１６は化粧パネル１２と化粧材１１ｃの高さ違いを補填するものであり、笠木補助部材１６及び化粧材１１ｃに亘って笠木１５が取り付けられる。
【００３８】
図２に示す戸袋開口カバー１４は、スライドドア２の断面よりも大きく縦ローラ４１及び横ローラ７１、８１の突出寸法よりも小さいドア出入口１４ａを有している。
【００３９】
前記高さ調整機構１１０は、戸袋内にあって笠木１５を取外すことによって上方に開放され、スライドドア２を戸袋から引き出した状態でボルトＶ１を通じてローラ３２、５２の配設高さを調整可能とされている。前記高さ調整機構１２０は、化粧パネル１２を取外した状態で止着具９４ｃを緩めることによってローラ６２の高さ位置が調整可能である。
【００４０】
また、このスライドドア装置Ａは、図２に示す主パネル１に、スライドドア２を収納する際の移動終端の引き込み力と、スライドドア２を引き出す際の移動終端の引き出し力とを補助する一対の出し入れ補助機構２０１Ａ、２０１Ｂを取り付け、これらを戸袋内に収容して、スライドドア２に設けた共通の係合部２０２を各開閉補助機構に選択的に係合させるようにしている。
【００４１】
具体的には図９に示すように、引き出し側の出し入れ補助機構２０１Ａは、Ｌ字形に形成したガイド溝２１１に係留爪２１２の２点を係合させて、斜めに傾いた補助開始位置Ｐとそこから反対側に向かって略水平姿勢をとりつつ終端まで移動した補助完了位置Ｑとの間で進退移動可能、かつ、補助開始位置Ｑから補助終了位置Ｐまで図示しないバネの弾性で移動し補助終了位置Ｐから補助開始位置Ｑに向かう際にはバネに弾性を蓄えながら補助開始位置Ｑに到来するとその位置で２点のうち１点がガイド溝２１１のＬ字部分２１１ａに引っ掛かって戻り止めされるように構成されている。すなわち、スライドドア２が引き出されて係合部２０２が補助開始位置Ｐに到来し、係合部２０２が係留爪２１２に引っ掛かって戻り止めの状態を解除すると、係留爪２１２は係合爪２０２をキャッチしたままスライドドア２を曳航して引き出し端の補助終了位置Ｑまで移動する。逆に、スライドドア２が引き込まれるときには、係合部２０２が係留爪２１２を曳航して補助開始位置Ｐまで移動してガイド溝２１１のＬ字部分２１１ａに引っ掛け、このとき係合爪２０２が係留爪２１２からリリースされてスライドドア２は引き続き引き込み方向に移動する。なお、バネが弾性を放出するときには図示しないダンパーが働くように構成されている。
【００４２】
引き込み側の出し入れ補助機構２０２も同様である。
【００４３】
以上により、このスライドドア装置Ａは、スライドドア２に最低限の剛性を保って手動で軽快に開閉できる機能を付与したローパーティションシステムＬＰＳを実現している。
【００４４】
以上のように、本実施形態に係るスライドドア２の支持構造は、スライドドア２をスライド方向に沿って前後に配した吊り下げ機構３、４によって一側面側から吊下げ支持するとともに、スライドドア２の上下端部を前後に配した厚み方向の振れ止め機構５〜８によって規制してなることを特徴とする。
【００４５】
このように、上下端部を厚み方向へ規制すれば、スライドドア２は一側面側から吊っても立位姿勢が保たれるので、吊下げ機構３、４及び振れ止め機構５〜８はそれぞれ単純な構造でよく、吊下げ荷重や振れ方向の荷重が重畳して作用することを回避して機構部品の負担を軽減するとともに、機構部品が複雑な構造となることを回避しつつ、組み立ての便にも資する支持構造を有効に採用することができる。
【００４６】
具体的に、前吊下げ機構３及び前振れ止め機構５、６は、スライドドア２の厚み内に設けた縦レール３１及び横レール５１、６１と、これらのレール３１、５１、６１に係合して高さ方向および厚み方向に支持する支持側の縦ローラ３２及び横ローラ５２、６２によって構成され、後吊下げ機構４及び後振れ止め機構７、８は、スライドドア２から突設した縦ローラ４１及び横ローラ７１、８１と、これらのローラ４１、７１、８１に係合して高さ方向および厚み方向に支持する支持側の縦レール４２及び横レール７２、８２によって構成されているので、縦レール３１、４２同士の干渉や縦ローラ３２、４１同士の干渉等を防止しつつ、スライドドア２の片持ち支持構造の持ち出し量を小さく抑えることができる。
【００４７】
この場合、スライドドア２の横レール５１、６１は当該スライドドア２の上下端面に凹設した溝状のものであり、この横レール５１、６１に上下方向から横ローラ５２、６２を係合させているので、振れ止め機構５、６をスライドドアの外部において構成することができ、厚み方向から組み付けて横レール５１、６１と横ローラ５２、６２を係合させることができるので、構造や組み立てが一層簡単であり、スライドドアが傷づかないように組み付けることができる。
【００４８】
スライドドア２の縦レール３１についても同様、当該スライドドア２の一側面に凹設した溝状のものであり、この縦レール３１を厚み方向から縦ローラ３２に係合させているので、構造や組み立てが一層簡単であり、スライドドアが傷づかないように組み付けることができる。
【００４９】
このような効果は、後吊下げ機構４及び後振れ止め機構７、８の構造についても同様である。
【００５０】
さらに、スライドドア２の縦ローラ４１は当該スライドドア２の縦レール３１の延長線上に軸着され、スライドドア２の横ローラ７１、８１は当該スライドドア２の横レール５１、６１の延長線上に軸着されており、縦レール３１及び横レール５１、６１を縦ローラ４１及び横ローラ７１、８１の取付先として利用することで、前後の吊下げ機構３、４や振れ止め機構５〜８の高さ調整がし易くなり、構造の簡素化と部品点数の削減も図ることができる。
【００５１】
そして、前吊下げ機構３に、縦ローラ３２の高さ位置を変更する高さ調整機構１１０を設けているので、スライドドア２を戸当たりに均等に突き当てるための構成及び調整が簡単となる。
【００５２】
また、スライドドアの吊り高さが変われ振れ止め用の上横ローラの高さも変更する必要があるところ、本実施形態では、縦ローラ３２の調整に連動して前振れ止め機構５の上横ローラ５２の高さ位置が変化するように構成してあるため、調整を１回で的確に終わらせることができる。
【００５３】
さらに、スライドドア２の吊り高さが変われ振れ止め用の下横ローラ６２の高さも変更する必要があるところ、前振れ止め機構６の下横ローラ６２にも高さ調整機構１２０が設けられているため、上下で適切な調整を行うことが可能となる。
【００５４】
そして、このようなスライドドアの支持構造を適用すれば、シンプルな構造で組み立て、分解やメンテナンスの便も向上したローパーティションシステムＬＰＳを提供することが可能となる。
【００５５】
次に、本発明の第二実施形態を、図１０〜図１３を参照して説明する。
【００５６】
この実施形態は、上記第一実施形態とは前吊下げ機構１０３、後吊下げ機構１０４、前振れ止め機構１０５、１０６及び後振れ止め機構１０７、１０８の構成が異なっている。
【００５７】
前吊下げ機構１０３は、スライドドア１０２の高さ内及び厚み内に設けた縦レール１３１と、この縦レール１３１に係合して高さ方向に支持する支持側の縦ローラ１３２とによって構成され、前振れ止め機構１０５、１０６は、スライドドア１０２の高さ内及び厚み内に設けた上横レール１５１、下横レール１６１と、これらの上横レール１５１及び下横レール１６１に係合して厚み方向に支持する支持側の上横ローラ１５２及び下横ローラ１６２とによって構成されている。また、後吊下げ機構１０４は、スライドドア１０２の高さ内及び厚み内に設けた縦レール１４１と、この縦レール１４１に係合して高さ方向に支持する支持側の縦ローラ１４２によって構成され、後振れ止め機構１０７、１０８は、スライドドア１０２の高さ内及び厚み内に設けた横レール１７１、１８１と、これらの横レール１７１、１８１に係合して厚み方向に支持する支持側の横ローラ１７２、１８２とによって構成されている。ここでは、縦レール１３１、１４１は共通の上枠１２１内において連続しており、横レール１５１、１７１も共通の上枠１２１内において連続しており、横レール１６１、１８１は共通の下枠１２２内において連続している。
【００５８】
そして、支持側の縦ローラ１３２及び横ローラ１５２（縦ローラ１４２及び横ローラ１７２）は当該スライドドア１０２の上枠１２１内に配設されて当該上枠１２１に設けたスリット１２１ａを介して引き出した上ブラケット１９１によって支持側すなわち主パネル１１１側に固定され、支持側の横ローラ１６２（横ローラ１８２）は当該スライドドア１０２の下枠１２２内に配設されて当該下枠１２２に設けたスリット１２２ａを介して引き出した下ブラケット１９２によって支持側すなわち主パネル１１１側に固定されている。
【００５９】
縦ローラ１３２及び横ローラ１５２（縦ローラ１４２及び横ローラ１７２）は板材を折り曲げ形成した図１１及び図１３に示すローラ支持体ＲＳ１に回転可能に組み込まれている。具体的には、ローラ支持体ＲＳ１の立壁Ｓ１１、Ｓ１１間に通した軸Ｓによって縦ローラ１３２、１４２が支持され、ローラ支持体ＲＳ１の立壁Ｓ１１、Ｓ１１に設けた切欠Ｓ１２、Ｓ１２内に横ローラ１５２、１７２が収容されており、板材の一部が前記上ブラケット１９１を構成している。そして、上ブラケット１９１はスライドドア１０２の上枠１２１の上端１２１ｘよりも上方位置Ｘ１で支持側すなわち主パネル１１１側に固定されている。
【００６０】
また、横ローラ１６２（横ローラ１８２）は板材を折り曲げ形成した図１１に示すローラ支持体ＲＳ２に組み込まれている（図１３に対応するローラ支持体ＲＳ２の斜視図は図示省略している）。具体的には、ローラ支持体ＲＳ１の立壁Ｓ２１、Ｓ２１に設けた切欠Ｓ２２、Ｓ２２内に横ローラ１６２、１８２が収容されており、板材の一部が前記下ブラケット１９２を構成している。そして、下ブラケット１９２はスライドドア１０２の下枠１２２の下端１２２ｘよりも下方位置Ｘ２で支持側すなわち主パネル１１１側に固定されている。
【００６１】
組み付けに関しては、スライドドア１０２の上枠１２１内及び下枠１２２内にそれぞれローラ支持体ＲＳ１、ＲＳ２を収容した状態で、スライドドア１０２を主パネル１１１に近づけ、ブラケット１９１、１９２の固定位置１９１ｘ、１９２ｘをボルト等の止着具で主パネル１１１に固定することにより、組み付けが完了する。特に、戸袋開口に近い側に取り付けられる上下のローラ支持体ＲＳ１、ＲＳ２の固定位置を高さ方向に調整可能な構造とすれば、縦ローラ１３２及び横ローラ１５２の高さ調整機構、横ローラ１６２の高さ調整機構を構成することができる。
【００６２】
この上から前記第一実施形態の化粧カバー１２と同様の化粧カバー等を取り付け、戸袋開口を前記実施形態の戸袋開口カバー１４と同様の戸袋開口カバーによって閉止すれば、パーティションパネルが完成する。この場合、戸袋開口カバーには、スライドドアの断面よりも僅かに大きいドア出入口が設けられる。
【００６３】
以上のように構成すると、前記第一実施形態と基本的に同様の作用効果が得られるうえに、この実施形態の前吊下げ機構１０３及び前振れ止め機構１０５、１０６は、スライドドア１０２の高さ内及び厚み内に設けた縦レール１３１及び横レール１５１、１６１と、これらのレール１３１、１５１、１６１に係合して高さ方向および厚み方向に支持する支持側の縦ローラ１３２及び横ローラ１５２、１６２によって構成され、後吊下げ機構１０４及び後振れ止め機構１０７、１０８も、スライドドア１０２の高さ内及び厚み内に設けた縦レール１４１及び横レール１７１、１８１と、これらのレール１４１、１７１、１８１に係合して高さ方向および厚み方向に支持する支持側の縦ローラ１４２及び横ローラ１７２、１８２によって構成されているので、スライドドア２０１の前後をガタつきなく安定して支持することができる。
【００６４】
この場合、スライドドア１０２の縦レール１３１、１４１及び横レール１５１、１６１、１７１、１８１は当該スライドドア１０２の上・下枠１２１、１２２内に設けられ、支持側の縦ローラ１３２、１４２及び横ローラ１５２、１６２、１７２、１８２は当該スライドドア１０２の上・下枠１２１、１２２内に配設されて当該上・下枠１２１、１２２に設けたスリット１２１ａ、１２２ａを介して引き出した上下のブラケット１９１、１９２を介して支持側に固定されているので、スライドドア１０２のレール１３１、１４１、１５１、１６１、１７１、１８１を極力外観に表出しないように構成することができる。
【００６５】
特に、上ブラケット１９１はスライドドア１０２の上枠１２１の上端１２１ｘよりも上方で支持側に固定され、下ブラケット１９２はスライドドア１０２の下枠１２２の下端１２２ｘよりも下方で支持側に固定されるため、当初からローラ支持体ＲＳ１、ＲＳ２を上枠１２１及び下枠１２２に収容した状態でスライドドア１０２を主パネル１１１に厚み方向に近づけて取り付けることができ、取付手順の簡素化を図ることが可能となる。
【００６６】
以上、本発明の一実施形態について説明したが、各部の具体的な構成は上述した実施形態のみに限定されるものではない。
【００６７】
例えば、スライドドアは戸袋状のローパーティション内に収容される構造に限らず、固定パネルの外側でスライドドアが引き違い状態で重合する構造であっても、上記実施形態と同様の作用効果が奏される。
【００６８】
その他の構成も、本発明の趣旨を逸脱しない範囲で種々変更が可能である。
【符号の説明】
【００６９】
２、１０２…スライドドア
３、１３…前吊下げ機構
４、１０４…後吊下げ機構
５、６、１０５、１０６…前振れ止め機構
７、８、１０７、１０８…後振れ止め機構
３１、１３１…縦レール（前吊下げ機構）
３２、１３２…縦ローラ（前吊下げ機構）
４１、１４２…縦ローラ（後吊下げ機構）
４２、１４１…縦レール（後吊下げ機構）
５１、６１、１５１、１６１…横レール（前振れ止め機構）
５２、６２、１５２、１６２…横ローラ（前振れ止め機構）
７１、８１、１７２、１８２…横ローラ（後振れ止め機構）
７２、８２、１７１、１８１…横レール（後振れ止め機構）
１１０、１２０…高さ調整機構
ＬＰＳ…ローパーティションシステム
【図１】
2018178515.tif 000003
【図２】
2018178515.tif 000004
【図３】
2018178515.tif 000005
【図４】
2018178515.tif 000006
【図５】
2018178515.tif 000007
【図６】
2018178515.tif 000008
【図７】
2018178515.tif 000009
【図８】
2018178515.tif 000010
【図９】
2018178515.tif 000011
【図１０】
2018178515.tif 000012
【図１１】
2018178515.tif 000013
【図１２】
2018178515.tif 000014
【図１３】
2018178515.tif 000015